(57)【特許請求の範囲】
【請求項１】
収容物が貫通して取り出されるブリスターパックの貫通領域を被覆して貼着されるラベルであって、
シート状の本体部と、前記本体部に形成された凹状又は囲み形状の切込部と、前記切込部により区画された内側の区画部と、を有するシート状の第１基材と、
前記区画部の真下に位置する非接着領域を有して前記第１基材の下面に位置して前記貫通領域に接着する第１接着層と、
前記区画部の真上に位置する接着領域を有して前記第１基材の上面に位置する第２接着層と、
前記第２接着層により前記第１基材に剥離可能に接着し、前記第１基材からの剥離時には前記区画部の少なくとも一部を前記第１基材から分離するとともに、前記第１基材から少なくとも一部を剥離することが可能なシート状の第２基材と、
を備えることを特徴とするラベル。
【請求項２】
前記接着領域は、第１接着領域であり、
前記第２接着層は、前記第１接着領域の周囲であって前記区画部を囲む領域の少なくとも一部に位置する再貼着可能な接着領域である第２接着領域を有する請求項１に記載のラベル。
【請求項３】
前記第２接着層は、前記第２接着領域の少なくとも一部が前記第２基材とともに前記第１基材から剥離され、前記第２基材とともに剥離された前記第２接着領域により前記第１基材に再貼着可能である請求項２に記載のラベル。
【請求項４】
前記第２接着領域は、前記第１接着領域を挟んで位置する請求項２又は３に記載のラベル。
【請求項５】
前記切込部は、囲み形状の第１切込部であり、
前記区画部は、第１区画部であり、
前記第２基材は、前記第１区画部の直上領域を内側に収容する凹状の第２切込部と、前記第２切込部により区画された内側の第２区画部を有する請求項１ないし４のいずれか１項に記載のラベル。
【請求項６】
前記非接着領域は、第１非接着領域であり、
前記第２接着層は、前記第２切込部の両端部を直下に位置する領域を含む第２非接着領域を有する請求項５に記載のラベル。
【請求項７】
前記第２区画部は、前記第２区画部の面内方向において凸状に突出する端部であって、その端部を摘みとして前記第１基材から前記第２区画部を剥離させることが可能な突出端部を有し、
前記第２非接着領域は、前記突出端部の直下に位置する領域を含む請求項６に記載のラベル。
【請求項８】
前記第２非接着領域は、前記第２切込部の直下に位置する領域を含む請求項７に記載のラベル。
【請求項９】
前記切込部は、凹状の第１切込部であり、
前記区画部は、第１区画部であり、
前記第２基材は、前記第１区画部の直上領域を内側に収容し、かつ前記第１切込部と同じ方向に窪む凹状の第２切込部と、前記第２切込部により区画された内側の第２区画部を有する請求項１ないし４のいずれか１項に記載のラベル。
【請求項１０】
収容物が貫通して取り出されるブリスターパックの貫通領域を被覆して貼着されるラベルであって、
シート状の本体部と、前記本体部に形成された凹状又は囲み形状の切込部と、前記切込部により区画された内側の区画部と、を有するシート状の第１基材と、
前記区画部の真下に位置する第１接着領域を有して前記第１基材の下面に位置する第１接着層と、
前記区画部の真上に位置する第２接着領域を有して前記第１基材の上面に位置する第２接着層と、
前記第２接着層により前記第１基材に剥離可能に接着し、前記第１基材からの剥離時には前記区画部の少なくとも一部を前記第１基材から分離するとともに、前記第１基材から少なくとも一部を剥離することが可能なシート状の第２基材と、
を備えることを特徴とするラベル。
【請求項１１】
請求項１ないし１０のいずれか１項に記載の前記ラベルと、
前記第１接着層により前記ラベルが前記貫通領域に貼着された前記ブリスターパックと、
を備えるラベル付のブリスターパック。
【請求項１２】
前記第１接着層が前記貫通領域に貼着された後に前記第１基材から前記第２基材が剥離されることで、前記切込部を基点に前記第１基材から前記区画部が分離され、前記第１基材に前記収容物が取り出される貫通孔が形成される請求項１１に記載のラベル付のブリスターパック。
【請求項１３】
前記貫通領域に対向して前記貫通孔が位置する請求項１２に記載のラベル付のブリスターパック。
【請求項１４】
前記第１接着層が前記貫通領域に貼着された状態で前記貫通領域と前記区画部が対向する方向から見て、前記区画部の内側に前記貫通領域が位置する請求項１３に記載のラベル付のブリスターパック。
【請求項１５】
前記収容物は薬剤である請求項１２ないし１４のいずれか１項に記載のラベル付のブリスターパック。
【発明の詳細な説明】
【技術分野】
【０００１】
本発明は、ラベル及びラベル付のブリスターパックに関する。
【背景技術】
【０００２】
例えば、特許文献１には、ブリスターパックに収容した錠剤が貫通して取り出されるブリスターパックのアルミ箔に貼り付けられるラベルが開示されている。このラベルは、アルミ箔に貼り付けられるぜい質シートと、このぜい質シートに貼り付けられる表面紙を有し、アルミ箔が簡単に破断しないようにアルミ箔を補強している。
【先行技術文献】
【特許文献】
【０００３】
【特許文献１】特開２０１５−９８８８号公報
【発明の概要】
【発明が解決しようとする課題】
【０００４】
特許文献１のラベルを貼り付けたブリスターパックから錠剤を取り出す場合には、ぜい質シートに貼り付けられる表面紙を剥がした後にアルミ箔とぜい質シートを貫通させて錠剤が取り出される。そのため、ブリスターパックから錠剤が取り出される過程において、錠剤はアルミ箔の他にぜい質シートにも接触するおそれがあり、衛生的に好ましくない。
【０００５】
本発明の課題は、ブリスターパックから収容物が貫通して取り出されるブリスターパックの貫通領域を補強できる一方で、収容物を取り出す際に収容物により押し破られるのを抑制することが可能なラベル及びラベル付のブリスターパックを提供することにある。
【課題を解決するための手段及び発明の効果】
【０００６】
本発明の第１のラベルは、
収容物が貫通して取り出されるブリスターパックの貫通領域を被覆して貼着されるラベルであって、
シート状の本体部と、本体部に形成された凹状又は囲み形状の切込部と、切込部により区画された内側の区画部と、を有するシート状の第１基材と、
区画部の真下に位置する非接着領域を有して第１基材の下面に位置して貫通領域に接着する第１接着層と、
区画部の真上に位置する接着領域を有して第１基材の上面に位置する第２接着層と、
第２接着層により第１基材に剥離可能に接着し、第１基材からの剥離時には区画部の少なくとも一部を第１基材から分離するとともに、第１基材から少なくとも一部を剥離することが可能なシート状の第２基材と、
を備えることを特徴とする。
【０００７】
第１のラベルでは、収容物が貫通して取り出されるブリスターパックの貫通領域を被覆して貼着されるため、ブリスターパックの貫通領域を補強できる。そして、ラベルをブリスターパックに接着させる第１接着層は、第１基材の区画部の真下に位置する非接着領域を有するため、第１基材の区画部はブリスターパックに接着しない。一方で、第１基材に第２基材を接着させる第２接着層は、第１基材の区画部の真上に位置する接着領域を有するため、第１基材の区画部は第２基材に接着する。そのため、ラベルをブリスターパックの貫通領域に貼着した後に、第１基材から第２基材を剥離しようとすると、第２基材に接着した第１基材の区画部の少なくとも一部が切込部を基点に第１基材から分離される。それにより、第１基材の区画部に対応する箇所に貫通孔が形成される。例えば、ブリスターパックの貫通領域を被覆するように第１基材の区画部が位置する場合に第１基材から第２基材を剥離すると、ブリスターパックの貫通領域に対向する第１基材に貫通孔が形成される。よって、ブリスターパックの貫通領域を貫通した収容物を第１基材に形成された貫通孔に通すことで、収容物がラベルを押し破らずにブリスターパックから取り出される。そのため、収容物を取り出す際に収容物によりラベルが押し破られるのを抑制することが可能となる。
【０００８】
本発明の実施態様では、
接着領域は、第１接着領域であり、
第２接着層は、第１接着領域の周囲であって区画部を囲む領域の少なくとも一部に位置する再貼着可能な接着領域である第２接着領域を有する。
【０００９】
これによれば、ブリスターパックから収容物を取り出した際に剥離した第２基材を第１基材に再貼着可能となり、収容物が取り出される際に形成された貫通領域の貫通孔を第２基材で蓋をすることが可能となる。
【００１０】
本発明の実施態様では、
第２接着層は、第２接着領域の少なくとも一部が第２基材とともに第１基材から剥離され、第２基材とともに剥離された第２接着領域により第１基材に再貼着可能である。
【００１１】
これによれば、第１基材から剥離される第２基材に第２接着領域が存在するため、この第２基材を接着可能な蓋として収容物が取り出される際に形成された貫通領域の貫通孔を閉じることが可能となる。
【００１２】
本発明の実施態様では、
第２接着領域は、第１接着領域を挟んで位置する。
【００１３】
これによれば、収容物が取り出される際に形成された貫通領域の貫通孔を第２基材で塞ぐ場合に第２基材の位置がずれにくくなる。
【００１４】
本発明の実施態様では、
切込部は、囲み形状の第１切込部であり、
区画部は、第１区画部であり、
第２基材は、第１区画部の直上領域を内側に収容する凹状の第２切込部と、第２切込部により区画された内側の第２区画部を有する。
【００１５】
これによれば、第２切込部を基点として第２区画部を第１基材から剥離すると、第１基材の第１区画部の一部が第１切込部を基点に第１基材から分離することができる。
【００１６】
本発明の実施態様では、
非接着領域は、第１非接着領域であり、
第２接着層は、第２切込部の両端部の直下に位置する領域を含む第２非接着領域を有する。
【００１７】
これによれば、第２切込部を基点として第２区画部を第１基材から剥離する際に、第２基材から分離される第２区画部と第２基材とが繋がる第２切込部の両端部が第１基材に接着しないため、第２基材から第２区画部を円滑に分離することができる。
【００１８】
本発明の実施態様では、
第２区画部は、第２区画部の面内方向において凸状に突出する端部であって、その端部を摘みとして第１基材から第２区画部を剥離させることが可能な突出端部を有し、
第２非接着領域は、前記突出端部の直下に位置する領域を含む。
【００１９】
これによれば、第２区画部の端部を摘みとすることができる。
【００２０】
本発明の実施態様では、
第２非接着領域は、第２切込部の直下に位置する領域を含む。
【００２１】
これによれば、第２区画部を第２基材から分離し易くなる。
【００２２】
本発明の実施態様では、
切込部は、凹状の第１切込部であり、
区画部は、第１区画部であり、
第２基材は、第１区画部の直上領域を内側に収容し、かつ第１切込部と同じ方向に窪む凹状の第２切込部と、第２切込部により区画された内側の第２区画部を有する。
【００２３】
これによれば、第２切込部を基点として第２区画部を第１基材から剥離すると、第１切込部を基点に第１基材から第１基材の第１区画部の一部を分離させることができる。
【００２４】
また、本発明の第２ラベルは、
収容物が貫通して取り出されるブリスターパックの貫通領域を被覆して貼着されるラベルであって、
シート状の本体部と、本体部に形成された凹状又は囲み形状の切込部と、切込部により区画された内側の区画部と、を有するシート状の第１基材と、
区画部の真下に位置する第１接着領域を有して第１基材の下面に位置する第１接着層と、
区画部の真上に位置する第２接着領域を有して第１基材の上面に位置する第２接着層と、
第２接着層により第１基材に剥離可能に接着し、第１基材からの剥離時には区画部の少なくとも一部を第１基材から分離するとともに、第１基材から少なくとも一部を剥離することが可能なシート状の第２基材と、
を備えることを特徴とする。
【００２５】
第２のラベルでは、第１のラベルと同様にブリスターパックの貫通領域を補強できる。また、ラベルをブリスターパックに接着させる第１接着層は、第１基材の区画部の真下に位置する第１接着領域を有するため、第１基材の区画部はブリスターパックに接着する。更に、第１基材に第２基材を接着させる第２接着層は、第１基材の区画部の真上に位置する第２接着領域を有するため、第１基材の区画部は第２基材にも接着する。ここで、第２接着層及び第１接着層の接着力が調整されることで、ラベルをブリスターパックの貫通領域に貼着した後に、第１基材から第２基材を剥離しようとすると、第２基材に接着した第１基材の区画部の少なくとも一部が切込部を基点に第１基材から分離させることが可能となる。その結果、第１基材の区画部に対応する箇所に貫通孔が形成され、この貫通孔により収容物がラベルを押し破ることなく、収容物をブリスターパックから取り出すことが可能となる。
【００２６】
本発明の実施態様では、
上記ラベルと、
第１接着層により上記ラベルが貫通領域に貼着されたブリスターパックと、
を備える。
【００２７】
具体的には、
第１接着層が貫通領域に貼着された後に第１基材から第２基材が剥離されることで、切込部を基点に第１基材から区画部が分離され、第１基材に収容物が取り出される貫通孔が形成される。
【００２８】
これによれば、ラベルにより貫通領域を補強できるとともに、貫通孔を通して収容物を取り出すことで、収容物によりラベルが押し破られるのを抑制することが可能となる。
【００２９】
本発明の実施態様では、
貫通領域に対向して貫通孔が位置する。
【００３０】
これによれば、第１基材から第２基材を剥離すれば、通常のブリスターパックと同様に収容物をブリスターパックから取り出すことができる。
【００３１】
本発明の実施態様では、
第１接着層が貫通領域に貼着された状態で貫通領域と区画部が対向する方向から見て、区画部の内側に貫通領域が位置する。
【００３２】
これによれば、ブリスターパックから収容物を取り出す際に、第１基材から区画部が分離することで形成される貫通孔の縁に内容物が触れるのを抑制することができる。
【００３３】
本発明の実施態様では、
収容物は薬剤である。
【００３４】
これによれば、ブリスターパックに収容された薬剤を衛生的に取り出すことが可能となる。
【図面の簡単な説明】
【００３５】
【図１】本発明の例１のラベルを示す模式平面図。
【図２】図１のラベルのＩＩ−ＩＩ模式断面図。
【図３】図２の下側基材を示す模式平面図。
【図４】図２のラベルの上側基材と下側基材との位置関係を説明する模式平面図。
【図５】図２の上側接着層を示す模式平面図。
【図６】図２のラベルの上側基材、下側基材及び上側接着層との位置関係を説明する模式平面図。
【図７】図２の下側接着層を示す模式平面図。
【図８】図２のラベルの下側基材と下側接着層との位置関係を説明する模式平面図。
【図９】図１のラベルをブリスターパックに貼着する一例を示す模式斜視図。
【図１０】図９のブリスターパックに貼着されたラベルの上側基材の一部を浮かせた様子を示す模式斜視図。
【図１１】図１０のラベル付のブリスターパックから上側基材の一部が分離された様子を示す模式斜視図。
【図１２】図１１のラベル付のブリスターパックから薬剤を取り出す様子を示す部分模式斜視図。
【図１３】本発明の例２のラベルを示す模式平面図。
【図１４】図１３のＸＩＶ−ＸＩＶ模式断面図。
【図１５】図１４の下側基材を示す模式平面図。
【図１６】図１４のラベルの上側基材と下側基材との位置関係を説明する模式平面図。
【図１７】図１４の上側接着層を示す模式平面図。
【図１８】図１４のラベルの上側基材、下側基材及び上側接着層との位置関係を説明する模式平面図。
【図１９】図１４の下側接着層を示す模式平面図。
【図２０】図１３のラベルをブリスターパックに貼着する一例を示す模式斜視図。
【図２１】図２０のブリスターパックに貼着されたラベルの上側基材の一部を浮かせた様子を示す模式斜視図。
【図２２】図２１のラベル付のブリスターパックから上側基材の一部が分離された様子を示す模式斜視図。
【図２３】下側基材の変形例１を示す模式平面図。
【図２４】下側基材の変形例２を示す模式平面図。
【発明を実施するための形態】
【００３６】
本発明の例１のラベル１が図１に示される。図２に示すようにラベル１は、ラベル１の表面に位置する上側基材２と、上側基材２の下側に位置する下側基材３と、上側基材２と下側基材３の間に位置する上側接着層４と、上側接着層４の下側に位置する下側接着層５を備える。上側及び下側基材２、３並びに上側及び下側接着層４、５は、それぞれ、平面形状が同一又は略同一の矩形状に形成される。なお、図２における上側及び下側基材２、３並びに上側及び下側接着層４、５の厚さは便宜的に同じ厚さで描かれている。
【００３７】
図１に示すように上側基材２は、シート状の本体部２ａと、本体部２ａに形成された切込部２ｂと、切込部２ｂに区画される区画部２ｃを有する。本体部２ａは、短辺２ａ１と長辺２ａ２を有して角が丸みを帯びた矩形状に形成される。本体部２ａとしては、例えば、ポリプロピレン製の合成紙が採用される。図示省略してあるが、本体部２ａは表面に印刷層を有し、印刷層により文字及び装飾が施される。切込部２ｂは、短辺２ａ１に沿うように図１の横方向に沿って形成される横側切れ目２ｂ１と、長辺２ａ２に沿うように図１の縦方向に沿って形成される縦側切れ目２ｂ２を有する。横側切れ目２ｂ１は、図１の縦方向に沿って等間隔に複数（図１では５つ）形成される。図１の下側の４つの横側切れ目２ｂ１は、それぞれ同じ形状に形成される。具体的には、転倒した（例えば、９０度回転した）Ｙ字状のスリットが左右に複数配置されるとともに、左右のＹ字状のスリットの間に直線状のスリットが形成され、全体として横方向に略直線状に延びるミシン目として形成される。一方、図１の一番上の横側切れ目２ｂ１は、Ｙ字状の二股部分を１つにしたスリットを用いる以外は、他のものと同様である。縦側切れ目２ｂ２は、横側切れ目２ｂ１のそれぞれの中央部から傾斜した段状（転倒した略Ｚ状）に下方に延びた後、下側に位置する横側切れ目２ｂ１に到達する。なお、一番下側の横側切れ目２ｂ１から延びる縦側切れ目２ｂ２は、短辺２ａ１まで延びる。上下に対向する１組の横側切れ目２ｂ１と、その１組の横側切れ目２ｂ１を繋ぐ縦側切れ目２ｂ２により、図１の横方向に窪む凹状の２つの切れ目が形成される。また、図１の一番下側の横側切れ目２ｂ１と、その一番下側の横側切れ目２ｂ１から下方に延びる縦側切れ目２ｂにより、略Ｌ字状の２つの切れ目が形成される。これら凹状及び略Ｌ字状の切れ目により区画部２ｃが形成される。区画部２ｃは、凹状又は略Ｌ字状の切れ目により囲まれた本体部２ａの内側の略矩形状の領域である。ここで、凹状の切れ目により囲まれた区画部２ｃの領域を説明すると、区画部２ｃの領域は、凹状の切れ目の両端部を結ぶ線（例えば、直線又は曲線等）と、その凹状の切れ目により囲まれる領域が区画部２ｃとなる。略Ｌ字状の切れ目により囲まれた区画部２ｃも同様となる。図１では１０個の区画部２ｃが形成される。
【００３８】
上側基材２の下側には図３に示す下側基材３が位置する。下側基材３は、シート状の本体部３ａと、本体部３ａに形成された切込部３ｂと、切込部３ｂの一部により区画される区画部３ｃと、本体部３ａの表面に位置して接着力を弱める接着低減部３ｄを有する。本体部３ａは、短辺３ａ１と長辺３ａ２を有して本体部２ａと同一又は略同一の矩形状に形成される。本体部３ａとしては、例えば、ポリエステル製の透明フィルムが採用される。切込部３ｂは、短辺３ａ１に沿うように図３の横方向に沿って形成される横側切れ目３ｂ１と、各横側切れ目３ｂ１の下側に形成される環状切れ目３ｂ２を有する。横側切れ目３ｂ１は、上側基材２の横側切れ目２ｂ１と同一形状、かつ、同一位置（ラベル１の平面視において同一位置）であるため、説明は省略する。環状切れ目３ｂ２は、略半円状の第１の切れ目と、第１の切れ目との間に隙間を空け、かつ、第１の切れ目に対向して位置する第２の切れ目により形成される環状の切れ目である。環状切れ目３ｂ２は、上下に対向する１組の横側切れ目３ｂ１の間に複数（２つ）形成される。また、図３の一番下側の横側切れ目３ｂ１と短辺３ａ１の間にも複数（２つ）の環状切れ目３ｂ２が形成される。区画部３ｃは、環状切れ目３ｂ２で囲まれた内側の環状の領域であり、図３では１０個の区画部３ｃが形成される。接着低減部３ｄは、図３の下側の短辺３ａ１の中央部から環状切れ目３ｂ２の内側に入り込まないように上方に延びる図示斜線で示される領域である。接着低減層３ｄは、例えば、本体部３ａの表面にニス等が印刷されることで本体部３ａに接着する接着力を低減させる印刷層として構成される。
【００３９】
図４には上側及び下側基材２、３の切込部２ｂ、３ｂを重ねて表示した模式平面図が示され、下側基材３の環状の区画部３ｃが上側基材２の凹状又は略Ｌ字状の区画部２ｃの内側に収容される。具体的には、下側基材３の区画部３ｃの直上領域が上側基材２ｃの区画部２ｃの内側に収容される。
【００４０】
上側基材２と下側基材３の間には図５に示す上側接着層４が位置する。上側接着層４は、上側及び下側基材２、３と同一又は略同一に形成される。上側接着層４は、非接着領域４ａと接着領域４ｂを有する。非接着領域４ａは、図５の矩形状の領域に斜線で示される部分である。非接着領域４ａは、図５の矩形状の領域全面に再貼着可能な接着剤が塗布された後、印刷により糊殺し処理が施された領域である。接着領域４ｂは、非接着領域４ａを除いた糊殺し処理がされていない部分であり、再貼着可能な接着剤が塗布された領域である。図６には上側基材２の切込部２ｂ、下側基材３の接着低減部３ｄ、及び上側接着層４を重ねて表示した模式平面図が示され、非粘着領域４ａの内側には切込部２ｂと接着低減部３ｄが収容される。
【００４１】
下側基材３の下面には図７に示す下側接着層５が位置する。下側接着層５は、上側及び下側基材２、３と同一又は略同一に形成される。下側接着層５は、非接着領域５ａと接着領域５ｂを有する。非接着領域５ａは、図７の矩形状の領域に斜線で示される部分である。非接着領域５ａは、図７の矩形状の領域全面に接着剤が塗布された後、印刷により糊殺し処理が施された複数の環状領域である。接着領域５ｂは、非接着領域５ａを除いた糊殺し処理がされていない部分であり、接着剤が塗布された領域である。図８には下側基材３の切込部３ｂ、及び下側接着層５を重ねて表示した模式平面図が示され、非接着領域５ａは環状切り目３ｂ２に対応して位置し、非接着領域５ａの内側には環状切り目３ｂ２が収容される。
【００４２】
以上、ラベル１の主要な各部について説明した。図２のラベル１では、例えば、下面に下側接着層５が形成された下側基材３の上に、下面に上側接着層４が形成された上側基材２を貼り合せることで製造される。一方、上側及び下側基材２、３の切込部２ｂ、３ｂは、例えば、共通する部分を貼り合せ後に形成し、共通しない部分（例えば、下側基材３の環状切れ目３ｂ２）を貼り合せ前に形成することによりラベル１が製造される。
【００４３】
以上のように製造されるラベル１は、図９に示すブリスターパック６に貼着される。ブリスターパック６は、開口を有して薬剤を収容する容器状の収容部６ａと、収容部６ａの開口を塞ぐ脆弱性のシート６ｂを有する。シート６ｂの形状は、ラベル１の上側基材２等と同一又は略同一である。シート６ｂとしては、例えば、アルミ箔が採用される。ブリスターパック６に収容された薬剤を取り出す場合は、シート６ｂ側に向けて収容部６ａを押し潰すことにより、薬剤がシート６ｂを貫通してブリスターパック６の外に取り出される。よって、薬剤がブリスターパック６から簡単に取り出されるのを防ぐため、シート６ｂにラベル１を貼着する。
【００４４】
具体的には、図９のシート６ｂに下側接着層５が対向するようにラベル１を配置し、シート６ｂを覆うようにラベル１をシート６ｂに貼着する。これにより、ラベル１がシート６ｂを被覆してブリスターパック６に取り付けられる。一方、ラベル１付のブリスターパック６から薬剤を取り出す場合は、例えば、図１０に示すようにブリスターパック６を縦向きにするとともに、ブリスターパック６の横を親指とそれ以外の指で挟む。そして、ブリスターパック６に貼着されたラベル１側が凸になるようにブリスターパック６を湾曲させる。ここで、図６に示すようにラベル１の上側基材２の下面の上部から縦方向などに非接着領域４ａが形成されるため、図１０に示すようにブリスターパック６を湾曲させると、非接着領域４ａ（図６参照）の直上に位置する上側基材２（区画部２ｃの端部Ｅ）が下側基材３から浮き上がる。次に、浮き上がった区画部２ｃを摘みとし、図１１に示すように上側基材２の横側切れ目２ｂ１に沿って区画部２ｃを下側基材３から剥離する。ここで、図８に示すように下側基材３の下面には、環状切れ目３ｂ２により囲まれて区画された区画部３ｃの真下に非接着領域５ａが位置するため、区画部３ｃはブリスターパック６のシート６ｂに接着しない。その一方で、図６に示すように区画部３ｃの真上に上側接着層４の接着領域４ｂ（斜線が施されてない部分）が位置するため、区画部３ｃは上側基材２に接着する。よって、図１１に示すようにブリスターパック６に貼着されたラベル１の下側基材３から区画部２ｃを剥離しようとすると、区画部２ｃに接着した下側基材３の区画部３ｃが環状切り目３ｂ２を基点に下側基材３から分離される。これにより、区画部３ｃに対応する下側基材３の箇所には貫通孔Ｈが形成され、上側基材２から分離される区画部２ｃには環状の区画部３ｃが接着する。また、貫通孔Ｈは、薬剤がブリスターパック６から取り出されるシート６ｂに対向して位置する。そのため、この状態から図１２に示すように収容部６ａをシート６ｂに向けて押し潰すことにより収容部６ａの薬剤がシート６ｂを貫通するとともに、貫通孔Ｈを通過して外部に取り出される。薬剤がブリスターパック６から取り出された後は、下側基材３から剥離された区画部２ｃにより貫通孔Ｈを塞ぐように、区画部２ｃを貫通孔Ｈの周囲に位置する下側基材３に押し付けることで、区画部２ｃの裏面の接着領域４ｂにより区画部２ｃが下側基材３に再度、貼り付く。
【００４５】
図９に示すようにラベル１は、薬剤が貫通して取り出されるブリスターパック６のシート６ｂを被覆するようにシート６ｂに貼着され、シート６ｂを補強できる。そして、図８に示すように下側基材３の環状切り目３ｂ２により囲まれる区画部３ｃの真下には非接着領域５ａが位置するため、区画部３ｃはシート６ｂに接着しない。その一方で、図６に示すように区画部３ｃの真上には接着領域４ｂ（斜線が施されてない部分）が位置するため、区画部３ｃは上側基材２に接着する。よって、図１１に示すようにブリスターパック６に貼着されたラベル１の下側基材３から区画部２ｃを剥離しようとすると、区画部２ｃに接着した区画部３ｃが下側基材３から分離され、下側基材３に貫通孔Ｈが形成される。そのため、この状態から図１２の下側基材３から剥離した区画部２ｃに対応するブリスターパック６の収容部６ａをシート６ｂに向けて押し潰すと、シート６ｂを貫通した薬剤が貫通孔Ｈを通過して取り出される。薬剤を取り出した後は、下側基材３から剥離されて捲れた区画部２ｃで貫通孔Ｈに蓋をすると、区画部２ｃの下面の接着領域４ｂにより下側基材３に区画部２ｃを再貼着させることができる。よって、収容部６ａに残存した薬剤の粉末等がブリスターパック６から飛散するのを抑制できる。貫通孔Ｈの内側には薬剤がシート６ｂを貫通した貫通領域が位置するため、薬剤を取り出す際に貫通孔Ｈの内縁に薬剤が触れるのを抑制でき、薬剤を衛生的に取り出すことができる。また、区画部２ｃの下面の接着領域４ｂは、区画部２ｃの裏面に接着した環状の区画部３ｃを囲んで位置する。よって、区画部２ｃで貫通孔Ｈに蓋をする際に区画部２ｃの位置がずれにくくなる。そして、図４に示すように上側基材２の凹状及び略Ｌ字状の区画部２ｃは、下側基材３の環状の区画部３ｃの直上領域を内側に収容する。そのため、上側基材２の区画部２ｃを下側基材３から剥離すると、下側基材３の区画部３ｃが環状切れ目３ｂ２を基点に下側基材３から分離させることができる。更に、図６に示すように上側基材２の横側切れ目２ｂ１の両端部を含むように上側基材２の下面に非接着領域４ａが形成される。そのため、図１１に示すように区画部２ｃを下側基材３から剥離する際に、上側基材２から区画部２ｃを円滑に分離することができる。また、区画部２ｃの凸状に突出する端部Ｅに非接着領域４ａが位置するため、区画部２ｃの端部Ｅを摘みとすることができる。また、図３に示すように下側基材３の表面には接着低減部３ｄが位置するため、図１１の区画部２ｃの端部Ｅが下側基材３に接着してしまうのを予防できる。更に図６に示すように非接着領域４ａは、横側切れ目２ｂ１及び縦側切れ目２ｂ２を含むように位置するため、区画部２ｃを上側基材２から分離し易い。なお、ラベル１では、上側基材２の横側切れ目２ｂが本体部２ａの内側に収まるため、上側基材２の区画部２ｃが上側基材２から完全に分離してしまうのを抑制できる。そのため、区画部２ｃにより図１１の貫通孔Ｈを再度、蓋をするのに便利である。
【００４６】
上記の説明では、本発明の例１であるラベル１を説明した。以下では、本発明の例２であるラベル１１を説明する。なお、以下の説明においては、上記と同じ構成は同じ符号を付して説明を省略し、特有の構成について説明する。
【００４７】
本発明の例２のラベル１１が図１３に示される。図１４に示すようにラベル１１は、ラベル１１の表面に位置する上側基材１２と、上側基材１２の下側に位置する下側基材１３と、上側基材１２と下側基材１３の間に位置する上側接着層１４と、上側接着層１４の下側に位置する下側接着層１５を備える。上側及び下側基材１２、１３並びに上側及び下側接着層１４、１５は、それぞれ、平面形状が同一又は略同一の矩形状に形成される。
【００４８】
図１３に示すように上側基材１２は、本体部２ａと、本体部２ａに形成された切込部１２ｂと、切込部１２ｂに区画される区画部１２ｃを有する。切込部１２ｂは、横側切れ目２ｂ１と、縦側切れ目１２ｂ２と、横側切れ目２ｂ１の両端に位置する略Ｖ字状の切れ目１２ｂ３を有する。縦側切れ目１２ｂ２は、横側切れ目２ｂ１のそれぞれの中央部から段状（転倒した略Ｚ状）に下方に延びた後、下側に位置する横側切れ目２ｂ１に到達する。なお、一番下側の横側切れ目２ｂ１から延びる縦側切れ目１２ｂ２は、短辺２ａ１まで延びる。上下に対向する１組の横側切れ目２ｂ１と、その１組の横側切れ目２ｂ１を繋ぐ縦側切れ目１２ｂ２により、図１３の横方向に窪む凹状の２つの切れ目が形成される。また、図１３の一番下側の横切れ目２ｂ１と、その一番下側の横側切れ目２ｂ１から下方に延びる縦側切れ目１２ｂ２により、略Ｌ字状の２つの切れ目が形成される。区画部１２ｃは、凹状又は略Ｌ字状の切れ目により囲まれた本体部２ａの内側の略矩形状の領域であり、図１３では１４個の区画部１２ｃが形成される。
【００４９】
上側基材１２の下側には図１５に示す下側基材１３が位置する。下側基材１３は、本体部３ａと、本体部３ａに形成された切込部１３ｂと、切込部１３ｂの一部により区画される区画部１３ｃと、接着低減部３ｄを有する。切込部１３ｂは、横側切れ目３ｂ１と、各横側切れ目３ｂ１の下側に形成される環状切れ目１３ｂ２と、横側切れ目２ｂ１の両端に位置する略Ｖ字状の切れ目１３ｂ３を有する。環状切れ目１３ｂ２は、スリットが途切れずに環状に形成された切れ目である。環状切れ目１３ｂ２は、上下に対向する１組の横側切れ目３ｂ１の間に複数（２つ）形成される。また、図１５の一番下側の横側切れ目３ｂ１と短辺３ａ１の間にも複数（２つ）の環状切れ目１３ｂ２が形成される。区画部１３ｃは、環状切れ目１３ｂ２で囲まれた内側の環状の領域であり、図１５では１４個の区画部１３ｃが形成される。切れ目１３ｂ３は、上側基材１２の切れ目１２ｂ３と同一形状、かつ、同一位置（ラベル１１の平面視において同一位置）であるため、説明は省略する。
【００５０】
図１６には上側及び下側基材１２、１３の切込部１２ｂ、１３ｂを重ねて表示した模式平面図が示され、下側基材１３の環状の区画部１３ｃが上側基材１２の凹状又は略Ｌ字状の区画部１２ｃの内側に収容される。具体的には、下側基材１３の区画部１３ｃの直上領域が上側基材１２の区画部１２ｃの内側に収容される。
【００５１】
上側基材１２と下側基材１３の間には図１７に示す上側接着層１４が位置する。上側接着層１４は、上側及び下側基材１２、１３と同一又は略同一に形成される。上側接着層１４は、非接着領域１４ａと接着領域１４ｂを有する。非接着領域１４ａは、図１７の矩形状の領域に斜線で示される部分である。非接着領域１４ａは、図１７の矩形状の領域全面に再貼着可能な接着剤が塗布された後、印刷により糊殺し処理が施された矩形状の領域である。接着領域１４ｂは、非接着領域１４ａを除いた糊殺し処理がされていない凹状の部分であり、再貼着可能な接着剤が塗布された領域である。図１８には上側基材１２の切込部１２ｂ、下側基材１３の接着低減部３ｄ、及び上側接着層１４などを重ねて表示した模式平面図が示され、非接着領域１４ａの内側には縦側切れ目１２ｂ２が収容される。接着低減部３ｄは、一部が非接着領域１４ａからはみ出て位置する。
【００５２】
下側基材１３の下面には図１９に示す下側接着層１５が位置する。下側接着層１５は、上側及び下側基材１２、１３と同一又は略同一に形成される。下側接着層１５は、図１９の矩形状の全面に接着剤が塗布された接着領域１５ａを有する。なお、下側接着層１５の接着力は上側接着層１４の接着力より弱くなるように接着力が調整される。
【００５３】
以上、ラベル１１の主要な各部について説明した。ラベル１１もラベル１と同様に製造され、図２０のブリスターパック６に貼着される。具体的には、シート６ｂに下側接着層１５が対向するようにラベル１１を配置し、ラベル１１をシート６ｂに貼着する。これにより、ラベル１１がシート６ｂを被覆してブリスターパック６に取り付けられる。一方、ラベル１１付のブリスターパック６から薬剤を取り出す場合には、ラベル１と同様に図２１に示すようにブリスターパック６を湾曲させ、浮き上がった区画部１２ｃを摘みとする。そして、図２２に示すように上側基材１２の横側切れ目２ｂ１に沿うようにして区画部１２ｃを下側基材１３から剥離する。ここで、下側基材１３の下面全体には図１９の下側接着層１５の接着領域１５ａが位置するため、下側基材１３の区画部１３ｃはブリスターパック６のシート６ｂに接着する。更に、図１８に示すように区画部１３ｃの真上に上側接着層１４の接着領域１４ｂ（斜線が施されてない部分）が位置するため、区画部１３ｃは上側基材１２にも接着する。そして、上側接着層１４は下側接着層１５より接着力が大きい。よって、図２２に示すようにブリスターパック６のシート６ｂに貼着されたラベル１１の下側基材１３から上側基材１２の区画部１２ｃを剥離しようとすると、区画部１２ｃに接着した下側基材１３の区画部１３ｃが環状切り目１３ｂ２を基点に下側基材１３から分離される。これにより、区画部１３ｃに対応する下側基材１３の箇所には貫通孔Ｈが形成され、上側基材１２から分離される区画部１２ｃには環状の区画部１３ｃが接着する。更に区画部１３ｃの裏面には接着領域１５ａが接着している。よって、ラベル１と同様に貫通孔Ｈを通過させて薬剤を取り出すことができ、貫通孔Ｈは区画部１２ｃにより塞ぐことができる。なお、ラベル１１では、略Ｖ字状の切れ目１２ｂ３を有することで、上側基材１２の区画部１２ｃが上側基材１２から完全に分離してしまうのを抑制できる。
【００５４】
以上、本発明の実施例を説明したが、本発明はその具体的な記載に限定されることなく、例示した構成等を技術的に矛盾のない範囲で適宜組み合わせて実施することも可能であるし、またある要素、処理を周知の形態に置き換えて実施することもできる。
【００５５】
上記の説明では、図１５に示すように下側基材１３の環状切れ目１３ｂ２により区画される区画部１３ｃを例示した。区画部１３ｃとしては、例えば、図２３に示すように一部が開放された凹状の切れ目１１３ｂ２により区画される内側の領域を区画部１１３ｃとしてもよい。この場合には、切り目１１３ｂ２が図示横方向に窪んだ形状となる。また、上側基材１２は、区画部１１３ｃの直上領域を内側に収容する区画部１２ｃを有する。そのため、下側基材１３から区画部１２ｃを剥離すると、下側基材１３の区画部１１３ｃが切れ目１１３ｂ２を基点に分離し、分離された区画部１１３ｃに対応する下側基材１３に貫通孔が形成され、この貫通孔を通じて薬剤を取り出すことができる。
【００５６】
上記の説明では、下側基材３、１３の環状の区画部３ｃ、１３ｃとして、２つの半円状の切れ目により形成したもの（図３）、スリットが途切れない環状の切れ目（図１５）を例示したが、図２４に示すようにミシン目状の切れ目Ｃとしてもよい。また、ハーフカット等の種々の切れ目を採用することができる。なお、区画部３ｃ、１３ｃの形状として環状を例示したが、楕円状、三角及び四角などの多角形状など、種々の形状を採用することができる。
【００５７】
上記の説明では、上側基材２、１２の区画部２ｃ、１２ｃ（図１、図１３）が凹状に形成された切込部２ｂ、１２ｂで形成される例を示したが、囲み形状の切込部としてもよい。この場合は、区画部２ｃ、１２ｃが上側基材２、１２から完全に分離され、分離された区画部２ｃ、１２ｃをブリスターパック６以外の対象物に貼着してもよい。囲み形状の切込部としては、連続した切れ目に限らず、不連続の切れ目であってもよい。また、囲み形状としては、連続又は不連続の切れ目により周囲が囲まれた形状であり、閉じた領域に限られない。
【００５８】
上記の説明では、収容部６ａが２列に並ぶブリスターパック６に貼着されるラベル１、１１を例示したが、ブリスターパック６としては、収容部６ａが、３列、４列・・・などの複数列に並ぶブリスターパック６に貼着されるラベル及びラベル付のブリスターパックにも適用することができる。この場合には、ブリスターパックの収容部６ａに対応してラベル１、１１の区画部２ｃ、３ｃ、１２ｃ、１３ｃ等を増やせばよい。また、ブリスターパック６に収容される収容物として薬剤を例示したが、薬剤以外の工業製品などを収容してもよい。なお、ブリスターパック６にラベル１、１１を貼着する方法としては、人の手により貼着する方法以外に機械により貼着する方法を用いることも可能である。ブリスターパック６のシート６ｂに貼着されるラベル１、１１として、シート６ｂと同一又は略同一の形状を例示したが、シート６ｂよりも大きいラベルでも小さいラベルでもよい。シート６ｂより小さいラベルの場合には、シート６ｂから薬剤が貫通して取り出される貫通領域を被覆できる大きさのラベルであればよい。
【符号の説明】
【００５９】
１      ラベル                    ２      上側基材（第２基材）
２ａ    本体部                    ２ｂ    切込部
２ｂ１  横側切れ目                ２ｂ２  縦側切れ目
２ｃ    区画部                    ３      下側基材（第１基材）
３ａ    本体部                    ３ｂ    切込部
３ｂ１  横側切れ目                ３ｂ２  環状切れ目
３ｃ    区画部                    ３ｄ    接着低減部
４      上側接着層（第２接着層）  ４ａ    非接着領域
４ｂ    接着領域                  ５      下側接着層（第１接着層）
５ａ    非接着領域                ５ｂ    接着領域
６      ブリスターパック          ６ａ    収容部
６ｂ    シート（貫通領域）
【図１】
0006721212.tif 000002
【図２】
0006721212.tif 000003
【図３】
0006721212.tif 000004
【図４】
0006721212.tif 000005
【図５】
0006721212.tif 000006
【図６】
0006721212.tif 000007
【図７】
0006721212.tif 000008
【図８】
0006721212.tif 000009
【図９】
0006721212.tif 000010
【図１０】
0006721212.tif 000011
【図１１】
0006721212.tif 000012
【図１２】
0006721212.tif 000013
【図１３】
0006721212.tif 000014
【図１４】
0006721212.tif 000015
【図１５】
0006721212.tif 000016
【図１６】
0006721212.tif 000017
【図１７】
0006721212.tif 000018
【図１８】
0006721212.tif 000019
【図１９】
0006721212.tif 000020
【図２０】
0006721212.tif 000021
【図２１】
0006721212.tif 000022
【図２２】
0006721212.tif 000023
【図２３】
0006721212.tif 000024
【図２４】
0006721212.tif 000025